(57)【要約】  【課題】会計期間の期首や期末に関係なく、新規購入資産の登録や移動を入力することができ、且つ、利用者が求める任意の指定月日に遡ってデータを復元し、資産情報を作表できるようにする。  【解決手段】会計処理システムにおける固定資産管理システムであって、該固定資産管理システムは資産情報テーブル１０と処理履歴テーブル２０とを有し、データ入力時若しくは画面での問い合わせ時は、資産情報テーブル１０を更新して最新の資産情報を表示するとともに、更新された資産情報を処理履歴テーブル２０に記録し、作表指定入力時は、指定月日に対応させて前記処理履歴テーブル２０を参照し、処理履歴に基づいて仮想の資産情報テーブル３０を作成し、前記指定月日の資産情報を作表して表示装置４に表示する。【選択図】図１６
2006059263.tif 000002
【特許請求の範囲】
【請求項１】
会計処理システムにおける固定資産管理システムであって、該固定資産管理システムは資産情報テーブルと処理履歴テーブルとを有し、
データ入力時若しくは画面での問い合わせ時は、資産情報テーブルを更新して最新の資産情報を表示するとともに、更新された資産情報を処理履歴テーブルに記録し、
作表指定入力時は、指定月日に対応させて前記処理履歴テーブルを参照し、処理履歴に基づいて仮想の資産情報テーブルを作成し、前記指定月日の資産情報を作表して表示するように構成されたことを特徴とする固定資産管理システム。
【請求項２】
上記資産情報テーブルは、更新された資産情報のみを記録した資産テーブルと、法的な資産償却を記録した償却情報テーブルとからなる請求項１記載の固定資産管理システム。
【請求項３】
上記処理履歴テーブルは、資産の新規取得を記録する取得履歴テーブルと、資産の分割を記録する分割履歴テーブルと、資産の利用休止を記録する休止履歴テーブルと、資産管理部署の移動を記録する移動履歴テーブルと、資産を法的な条件で計上した額を資産帳簿価額から減算して記録する月別償却情報テーブルと、資産の売却や廃棄を記録する除却履歴テーブルと、法的な償却条件の変更を記録する変更履歴テーブルとからなる請求項１記載の固定資産管理システム。
【請求項４】
会計期間の期末後の新年度に入力されたデータは、前年度の決算確定後の実績数値に応じて、上記処理履歴テーブルを参照して資産情報テーブルを更新するように構成された請求項１，２または３記載の固定資産管理システム。
【発明の詳細な説明】
【技術分野】
【０００１】
本発明はコンピュータを利用した固定資産管理システムに関するものであり、特に、会計期間の期末後の新年度における先行入力処理を可能にした固定資産管理システムに関するものである。
【背景技術】
【０００２】
コンピュータを利用して会計処理を行うシステムは多数存在し、会計処理システムにおける固定資産を管理するシステムも多数知られている。その一例として、固定資産群を階層別にコードで分類し、各階層間を系統ごとにリンク付けするとともに、最下層の各固定資産に耐用年数を対応付けて登録した固定資産の耐用年数データベースと、特定の固定資産を登録した固定資産データベースと、入力手段と、前記入力手段により入力された情報に基づき、耐用年数データベースを検索する耐用年数検索手段と、前記入力手段により入力された情報に基づき、固定資産データベースを検索する固定資産検索手段と、前記耐用年数検索手段または固定資産検索手段により検索された結果を出力する出力手段とを備えている固定資産管理システムが知られている（例えば、特許文献１参照）。
【０００３】
企業の会計では、その企業が持っている資産を現金に換算して評価するシステムになっている。そのため、会計期間（最長で１年）の期首日付、期末日付の資産情報を管理する必要があるが、実際の資産の管理は常に変化する可能性を有している。例えば、図２５に示すように、会計期間の期末が３月である場合、６月に開かれる株主総会で決算報告が承認されるまでの間は、前年度の決算数値は確定されない。即ち、株主総会で貸借対照表や損益計算書等の決算報告が承認されなければ決算修正を行わなければならず、３月での決済数値に変更が生じることになる。
【特許文献１】特開２００２−３１８８９８号公報
【発明の開示】
【発明が解決しようとする課題】
【０００４】
図２５に示すように、新年度の期首月から株主総会までの先行期間では、決算報告が承認されて期末残高が確定するまでは、新年度の期首残高のセットや新規購入資産の登録、資産の移動等の入力を行うことができず、固定資産管理が情報入力の保留によって停滞することになる。そして、株主総会で決算報告が承認された後に、新年度の４月から６月に発生した情報を入力して会計処理を行っている。このため、図２６に示すように、組織変更や部門の移動等がある期首月の４月と、株主総会以後に４月から６月までの３か月分の情報入力を行う９月と、期末月の３月とに会計処理が集中し、運用者に多大な負荷が掛かっている。
【０００５】
新年度の期首月から株主総会までの先行期間に、資産情報を入力することは可能であるが、前述したように、あくまでも仮更新の状態であり、決算報告承認による期末残高確定後に仮更新のデータを自動的に復元することはできない。特許文献１記載の固定資産管理システムも、上記先行期間での入力保留については何ら考慮されていない。
【０００６】
そこで、会計期間の期首や期末に関係なく、新規購入資産の登録や移動を入力することができ、且つ、利用者が求める任意の指定月日に遡ってデータを復元し、資産情報を作表できるようにするために解決すべき技術的課題が生じてくるのであり、本発明はこの課題を解決することを目的とする。
【課題を解決するための手段】
【０００７】
本発明は上記目的を達成するために提案されたものであり、請求項１記載の発明は、会計処理システムにおける固定資産管理システムであって、該固定資産管理システムは資産情報テーブルと処理履歴テーブルとを有し、データ入力時若しくは画面での問い合わせ時は、資産情報テーブルを更新して最新の資産情報を表示するとともに、更新された資産情報を処理履歴テーブルに記録し、作表指定入力時は、指定月日に対応させて前記処理履歴テーブルを参照し、処理履歴に基づいて仮想の資産情報テーブルを作成し、前記指定月日の資産情報を作表して表示するように構成された固定資産管理システムを提供する。
【０００８】
この構成によれば、資産情報のデータを入力したときは、入力された情報が資産情報テーブルを更新して記録され、最新の情報として表示される。これと同時に、どのような情報を更新したかが処理履歴テーブルに記録される。また、資産情報を問い合わせたときは、資産情報テーブルに記録されている最新の情報を表示する。一方、作表指定入力を行ったときは、指定月日に対応させて処理履歴テーブルを参照し、作表する日付に遡及若しくは先行して仮想の資産情報テーブルを作成し、前記指定月日の資産情報を作表して表示する。
【０００９】
請求項２記載の発明は、上記資産情報テーブルは、更新された資産情報のみを記録した資産テーブルと、法的な資産償却を記録した償却情報テーブルとからなる請求項１記載の固定資産管理システムを提供する。
【００１０】
この構成によれば、資産情報テーブルは資産テーブルと償却情報テーブルとからなり、最新の情報のみが記録されているため極めてコンパクトである。
【００１１】
請求項３記載の発明は、上記処理履歴テーブルは、資産の新規取得を記録する取得履歴テーブルと、資産の分割を記録する分割履歴テーブルと、資産の利用休止を記録する休止履歴テーブルと、資産管理部署の移動を記録する移動履歴テーブルと、資産を法的な条件で計上した額を資産帳簿価額から減算して記録する月別償却情報テーブルと、資産の売却や廃棄を記録する除却履歴テーブルと、法的な償却条件の変更を記録する変更履歴テーブルとからなる固定資産管理システムを提供する。
【００１２】
この構成によれば、処理履歴テーブルは取得、分割、休止、移動、月別償却、除却、償却条件の変更等の資産処理の履歴を、それぞれ別々のテーブルに記録する。
【００１３】
請求項４記載の発明は、会計期間の期末後の新年度に入力されたデータは、前年度の決算確定後の実績数値に応じて、上記処理履歴テーブルを参照して資産情報テーブルを更新するように構成された固定資産管理システムを提供する。
【００１４】
この構成によれば、会計期間の期末後の新年度に入力されたデータは、通常と同じように、その都度資産情報テーブルを更新して記録され、更新された資産情報が処理履歴テーブルに記録される。前年度の決算が確定した後は、確定した数値に応じて処理履歴テーブルを更新し、指定月日の資産情報を作表して表示する。
【発明の効果】
【００１５】
請求項１記載の発明は、当該固定資産管理システムは資産情報テーブルと処理履歴テーブルとを有し、資産情報テーブルは最新の情報のみが記録され、更新された資産情報は処理履歴テーブルに記録されるので、更新前の資産情報が復元可能であり、任意の指定月日に対応させて資産情報を作表して表示することができる。また、資産情報テーブルと処理履歴テーブルとに分けて記録することにより、過去の情報を保全するといった手法で開発する固定資産管理システムよりも記憶容量が少なくてすみ、システムのコンパクト化が図られる。
【００１６】
請求項２記載の発明は、資産情報テーブルは最新の情報のみが記録されているため極めてコンパクトであり、請求項１記載の発明の効果に加えて、システムの簡素化による処理速度の向上を図ることができる。
【００１７】
請求項３記載の発明は、処理履歴テーブルは取得、分割、休止、移動、月別償却、除却、償却条件の変更等の資産処理の履歴を、それぞれ別々のテーブルに記録するので、請求項１記載の発明の効果に加えて、システムの簡素化による処理速度の向上を図ることができる。
【００１８】
請求項４記載の発明は、会計期間の期末後の新年度に入力されたデータは、通常と同じように、その都度資産情報テーブルを更新して記録され、更新された資産情報が処理履歴テーブルに記録される。このため、従来の固定資産管理システムのように、前年度の決算が確定するまではデータ入力を保留するような必要はなく、会計期間の期末後の株主総会以前であっても、資産情報データの先行入力処理が可能となったため、株主総会以後に会計処理が集中して運用者に多大な負荷が掛かるという問題点を解消することができる。
【発明を実施するための最良の形態】
【００１９】
以下、本発明に係る固定資産管理システムについて、好適な実施例をあげて説明する。会計期間の期首や期末に関係なく、新規購入資産の登録や移動を入力することができ、且つ、利用者が求める任意の指定月日に遡ってデータを復元し、資産情報を作表できるようにするという目的を、会計処理システムにおける固定資産管理システムであって、該固定資産管理システムは資産情報テーブルと処理履歴テーブルとを有し、データ入力時若しくは画面での問い合わせ時は、資産情報テーブルを更新して最新の資産情報を表示するとともに、更新された資産情報を処理履歴テーブルに記録し、作表指定入力時は、指定月日に対応させて前記処理履歴テーブルを参照し、処理履歴に基づいて仮想の資産情報テーブルを作成し、前記指定月日の資産情報を作表して表示するように構成したことにより実現した。
【実施例】
【００２０】
図１は本発明の固定資産管理システムを搭載したコンピュータ１のブロック図であり、該コンピュータ１のＣＰＵ（中央演算装置）２には、入出力装置３を介してモニターディスプレイ等の表示装置４と、キーボード等の入力装置５と、プリンタ等の出力装置６が接続されている。また、前記ＣＰＵ２に適宜インターフェースを介して記憶装置７が接続されている。
【００２１】
記憶装置７は、ＲＯＭやＲＡＭ等の半導体メモリのほか、磁気ディスク装置や光ディスク装置等の大容量記憶デバイスを使用するものとし、該記憶装置７にはＯＳをはじめとするシステムと、当該固定資産管理システムをはじめとするアプリケーションソフトと、各種のデータベースが記憶されている。
【００２２】
そして、ＣＰＵ２はコンピュータ１全体を制御するとともに、後述するように、固定資産管理における先行入力処理システムを制御し、入力装置５により入力された資産情報データや問い合わせデータに基づき、入力されたデータを表示装置４に表示するとともに、記憶装置７のデータベースにアクセスして資産情報の記録、修正、削除を行い、或いは、資産情報データの検索等を行う。また、検索結果を表示装置４に表示する。そして、検索された資産情報データは、必要に応じて出力装置６にて印刷することができる。
【００２３】
図２は本発明の固定資産管理システムのデータベースの構成を示し、当該固定資産管理システムは資産情報テーブル１０と処理履歴テーブル２０とを有している。図３に示すように、前記資産情報テーブル１０は、更新された新規情報を記録する資産テーブル１１と、法的な資産償却を記録した償却情報テーブル１２とからなっている。
【００２４】
図４に示すように、資産テーブル１１は、企業が購入した物品、建物、車両等の資産について、夫々の資産毎に別個に資産ナンバー、資産名、数量、取得日等を入力して作成する。後述するように、新たな資産情報が入力されたときはこの資産テーブル１１を更新し、常に最新の資産情報のみを記録する。
【００２５】
図５に示すように、償却情報テーブル１２は、夫々の資産毎に別個に税務耐用年数、税務償却方法等、法的な資産償却条件に基づいて償却情報データを記録する。
【００２６】
図６に示すように、前記処理履歴テーブル２０は、資産の新規取得を記録する取得履歴テーブル２１と、資産の分割を記録する分割履歴テーブル２２と、資産の利用休止を記録する休止履歴テーブル２３と、資産管理部署の移動を記録する移動履歴テーブル２４と、資産を法的に定められた条件で計上した額を資産帳簿価額から減算して記録する月別償却情報テーブル２５と、資産の売却や廃棄を記録する除却履歴テーブル２６と、法的な償却条件の変更を記録する変更履歴テーブル２７とからなっている。
【００２７】
図７に示すように、取得履歴テーブル２１は、夫々の資産毎に資産ナンバー、取得した履歴日付、事業所コード等、資産の新規取得を記録する。図８に示すように、分割履歴テーブル２２は、夫々の資産毎に資産ナンバー、分割した履歴日付、数量等、資産の分割を記録する。図９に示すように、休止履歴テーブル２３は、夫々の資産毎に資産ナンバー、休止した履歴日付、休止終了日等、資産の利用休止を記録する。
【００２８】
また、図１０に示すように、移動履歴テーブル２４は、夫々の資産毎に資産ナンバー、設置場所、移動設置場所等、資産管理部署の移動を記録する。図１１に示すように、月別償却情報テーブル２５は、夫々の資産毎に資産ナンバー、月初帳簿価額、償却額等、資産を法的な条件で費用計上し、計上額を資産帳簿価額から減殺して月別の償却情報を記録する。図１２に示すように、除却履歴テーブル２６は、夫々の資産毎に資産ナンバー、除却した履歴日付、除却額等、資産の売却や廃棄を記録する。図１３に示すように、変更履歴テーブル２７は、夫々の資産毎に資産ナンバー、変更した履歴日付、変更償却方法等、法律で定められている償却条件の例外的な変更を記録する。
【００２９】
図１４は本発明の固定資産管理システムにおける会計処理の流れを示し、会計期間の期末が３月である場合、６月に開かれる株主総会で決算報告が承認されるまでの間は、前年度の決済数値は確定されないが、後述するように先行入力処理を可能としたシステムであるため、従来の会計システムとは異なり、新年度の期首月から株主総会までの先行期間であっても、通常の場合とまったく同様に、新規購入資産の登録、資産の移動等の情報入力を行うことができる。従って、任意のときに前期末月の状態での作表が可能であり、システムのデータ入力負荷の標準化（平均化）が行われて、固定資産管理の停滞並びに株主総会後の会計処理集中がなくなり、運用者の負荷を軽減することができる。
【００３０】
図１５は固定資産管理における情報入力処理のフローチャートを示し、入力装置５にリアルタイムで発生する資産情報のデータを入力したときは、入力された情報が資産情報テーブル１０を更新して記録され、最新の情報として表示される。これと同時に、どのような情報を更新したかが処理履歴テーブル２０に記録される。また、資産情報を問い合わせたときは、資産情報テーブル１０に記録されている最新の情報を表示装置４に表示する。
【００３１】
図１６は固定資産管理における作表指定処理のフローチャートを示し、入力装置５に作表指定入力を行ったときは、指定月日に対応させて処理履歴テーブル２０を参照し、作表する日付に遡及若しくは先行して仮想の資産情報テーブル３０を作成し、前記指定月日の資産情報を作表して表示装置４に表示する。
【００３２】
このように、資産情報テーブル１０は最新の資産情報のみが記録され、更新された資産情報は処理履歴テーブル２０に記録されるので、更新前の資産情報が復元可能であり、任意の指定月日に対応させて資産情報を作表して表示することができる。また、資産情報テーブル１０と処理履歴テーブル２０とに分けて記録することにより、従来の固定資産管理システムよりも記憶容量が少なくてすみ、システムのコンパクト化が図られるとともに、処理速度が向上する。
【００３３】
前述したように、資産情報テーブル１０は更新された新規情報を記録する資産テーブル１１と、法的な資産償却を記録した償却情報テーブル１２とからなっており、処理履歴テーブル２０は、資産の新規取得を記録する取得履歴テーブル２１と、資産の分割を記録する分割履歴テーブル２２と、資産の利用休止を記録する休止履歴テーブル２３と、資産管理部署の移動を記録する移動履歴テーブル２４と、資産を法的に定められた条件で計上した額を資産帳簿価額から減算して記録する月別償却情報テーブル２５と、資産の売却や廃棄を記録する除却履歴テーブル２６と、法的な償却条件の変更を記録する変更履歴テーブル２７とからなっている。
【００３４】
図１７乃至図２２は、取得一覧表、分割一覧表、休止一覧表、移動一覧表、除却一覧表、償却方法変更一覧表の入力画面を示している。夫々の入力画面の各項目の範囲を指定して入力操作を行うことにより、前述した取得履歴テーブル２１乃至変更履歴テーブル２７の処理履歴テーブル２０に、どのような情報が更新されたかの履歴データが記録される。
【００３５】
図２３は出力装置６にて印刷された固定資産台帳の一例を示し、「車両運搬具」の明細である。また、図２４は「車両運搬具」の償却履歴を印刷したものである。
【００３６】
このように、資産情報テーブルと処理履歴テーブルとに分けて記録することにより、任意の指定月日に対応させて資産情報を作表して表示することができるので、従来の固定資産管理システムのように、前年度の決算が確定するまではデータ入力を保留するような必要はなく、会計期間の期末後の株主総会以前であっても、資産情報データの先行入力処理が可能となったため、株主総会以後に会計処理が集中して運用者に多大な負荷が掛かるという問題点を解消することができる。
【００３７】
尚、本発明は、本発明の精神を逸脱しない限り種々の改変を為すことができ、そして、本発明が該改変されたものに及ぶことは当然である。
【図面の簡単な説明】
【００３８】
【図１】本発明の固定資産管理システムを搭載したコンピュータのブロック図。
【図２】本発明の固定資産管理システムのデータベースの構成を示す図。
【図３】資産情報テーブルの構成を示す図。
【図４】資産テーブルの一覧表を示す図。
【図５】償却情報テーブルの一覧表を示す図。
【図６】処理履歴テーブルの構成を示す図。
【図７】取得履歴テーブルの一覧表を示す図。
【図８】分割履歴テーブルの一覧表を示す図。
【図９】休止履歴テーブルの一覧表を示す図。
【図１０】移動履歴テーブルの一覧表を示す図。
【図１１】月別償却情報テーブルの一覧表を示す図。
【図１２】除却履歴テーブルの一覧表を示す図。
【図１３】変更履歴テーブルの一覧表を示す図。
【図１４】固定資産管理システムにおける会計処理の流れを示す図。
【図１５】固定資産管理システムにおける情報入力処理のフローチャート。
【図１６】固定資産管理システムにおける作表指定処理のフローチャート。
【図１７】取得一覧表の入力画面を示す図。
【図１８】分割一覧表の入力画面を示す図。
【図１９】休止一覧表の入力画面を示す図。
【図２０】移動一覧表の入力画面を示す図。
【図２１】除却一覧表の入力画面を示す図。
【図２２】償却方法変更一覧表の入力画面を示す図。
【図２３】印刷された固定資産台帳の明細の一例を示す図。
【図２４】印刷された固定資産台帳の諸却履歴を示す図。
【図２５】従来の固定資産管理システムにおける会計処理の流れを示す図。
【図２６】従来の固定資産管理システムにおける月別の会計処理量を示す図。
【符号の説明】
【００３９】
１０  資産情報テーブル
１１  資産テーブル
１２  償却情報テーブル
２０  処理履歴テーブル
２１  取得履歴テーブル
２２  分割履歴テーブル
２３  休止履歴テーブル
２４  移動履歴テーブル
２５  月別償却情報テーブル
２６  除却履歴テーブル
２７  変更履歴テーブル
３０  仮想の資産情報テーブル
【図１】
2006059263.tif 000003
【図２】
2006059263.tif 000004
【図３】
2006059263.tif 000005
【図４】
2006059263.tif 000006
【図５】
2006059263.tif 000007
【図６】
2006059263.tif 000008
【図７】
2006059263.tif 000009
【図８】
2006059263.tif 000010
【図９】
2006059263.tif 000011
【図１０】
2006059263.tif 000012
【図１１】
2006059263.tif 000013
【図１２】
2006059263.tif 000014
【図１３】
2006059263.tif 000015
【図１４】
2006059263.tif 000016
【図１５】
2006059263.tif 000017
【図１６】
2006059263.tif 000018
【図１７】
2006059263.tif 000019
【図１８】
2006059263.tif 000020
【図１９】
2006059263.tif 000021
【図２０】
2006059263.tif 000022
【図２１】
2006059263.tif 000023
【図２２】
2006059263.tif 000024
【図２３】
2006059263.tif 000025
【図２４】
2006059263.tif 000026
【図２５】
2006059263.tif 000027
【図２６】
2006059263.tif 000028